(57)【特許請求の範囲】
【請求項１】
第１部材と第２部材を重ね合わせた重ね合わせ部を有し、該重ね合わせ部を含む領域をジグザグ状に縫い合わせてあり、上記第１部材が外側の指平材部分であって手指の平面と左右の各側面を被覆し得る幅を有する指平材部分により、上記第２部材が内側の指平材部分であって手指の平面と左右の各側面を被覆し得る幅を有する指平材部分によりそれぞれ構成され、上記重ね合わせ部が、上記外側の指平材部分の略凹弧状端縁の先端部の上に上記内側の指平材部分の略凹弧状端縁の先端部を重ね合わせることにより構成され、又は上記内側の指平材部分の略凹弧状端縁の先端部の上に上記外側の指平材部分の略凹弧状端縁の先端部を重ね合わせることにより構成されており、上記ジグザグ状の縫い合わせは、上記各略凹弧状端縁に沿ってなされており、上記ジグザグ状の縫い合わせをしている糸の各傾斜部分により伸縮機構が構成されており、前記指平材部分と指甲材より成る指袋全体を手の指に嵌めた場合に、指関節位置に対応した位置で前記指袋全体が手平側に屈曲ならしめるように構成されていることを特徴とする縫製手袋。
【請求項２】
（１）第１部材と第２部材を重ね合わせた後、（２）重ね合わせ部を含む領域をジグザグ状に縫い合わせる縫製手袋の生産方法であって、
上記（１）において、上記第１部材が外側の指平材部分であって手指の平面と左右の各側面を被覆し得る幅を有する指平材部分により、上記第２部材が内側の指平材部分であって手指の平面と左右の各側面を被覆し得る幅を有する指平材部分によりそれぞれ構成されている場合に、上記外側の指平材部分の略凹弧状端縁の先端部の上に上記内側の指平材部分の略凹弧状端縁の先端部を重ね合わせ、又は上記内側の指平材部分の略凹弧状端縁の先端部の上に上記外側の指平材部分の略凹弧状端縁の先端部を重ね合わせた後、
上記（２）において、上記重ね合わせ部のみを、上記外側の指平材部分と重ね合わせ部を、上記重ね合わせ部と上記内側の指平材部分を、又は上記外側の指平材部分と重ね合わせ部と上記内側の指平材部分を、上記各略凹弧状端縁に沿ってジグザグ状に縫い合わせ、上記ジグザグ状の縫い合わせをしている糸の各傾斜部分により伸縮機構を構成し、前記指平材部分と指甲材より成る指袋全体を手の指に嵌めた場合に、指関節位置に対応した位置で前記指袋全体が手平側に屈曲ならしめるようにすることを特徴とする縫製手袋の生産方法。
【発明の詳細な説明】
【技術分野】
【０００１】
本発明は縫製手袋及びその生産方法、特にスキーのストック、オートバイのハンドル、ゴルフクラブ、野球のバット等を把持し易いように予め指袋部分を手平側に屈曲させた縫製手袋及びその生産方法に関する。
【背景技術】
【０００２】
従来の縫製手袋は、例えば実用新案登録第３１２２５３０号公報に開示されている。この縫製手袋は、全体として手平材１（同公報の図１）と手甲材２と親指袋材３により構成されている。
【０００３】
そして、手平材１側の各指平材１２（例えば同公報の図６〜図８）を複数個の分割指平材１７で形成し、各分割指平材１７をＵ字型に湾曲させた状態で（同公報の図７（Ｃ９））、対向する凹弧状端縁１７ａ、１７ｂ同士を縫い合わせることにより（同公報の図８）、指関節部Ｆａに対応した位置で指袋全体を手平側に屈曲可能ならしめている。
【特許文献１】実用新案登録第３１２２５３０号公報
【発明の開示】
【発明が解決しようとする課題】
【０００４】
既述したように、従来技術においては、各分割指平材１７をＵ字型に湾曲させた状態で（同公報の図７（Ｃ））、対向する凹弧状端縁１７ａ、１７ｂ同士を縫い合わせ（同公報の図８）、これにより、指関節部Ｆａに対応した位置で指袋全体を手平側に屈曲可能ならしめている。
【０００５】
この状態を、手平側から見ると、本願の図８に示されているように、外側の分割指平材１７と内側の分割指平材１７とが重ね合わされ、重ね合わせ部Ｋの部分が糸Ｓで縫い合わされている。
【０００６】
しかし、この場合、上記重ね合わせ部Ｋは、糸Ｓにより、水平方向（Ｘ軸方向）に直線状に縫い合わされている。
【０００７】
従って、上記重ね合わせ部Ｋは弾力性が減少し、従来の縫製手袋を手に嵌めた場合には、上記重ね合わせ部Ｋが手の指に適合するように伸びない。
【０００８】
この結果、従来の縫製手袋において、手にはめた場合に嵌め心地を一層良くしたいという要望がある。即ち、従来の縫製手袋を手に嵌めた場合に、図９に示すように、重ね合わせ部Ｋには、上記直線状の糸Ｓ全体の両端の縫い目を作用点ａ、ｂとして、左右方向（Ｘ軸方向）の外力ｆ１、ｆ２が、手の指Ｆから働く。
【０００９】
この場合、重ね合わせ部Ｋを構成する前記分割指平材１７は、一般には布や皮であって、可撓性に富んでおり、撓み易いものである。
【００１０】
しかし、この重ね合わせ部Ｋが縫い合わされている糸Ｓは、図示するように、Ｘ軸方向に平行な直線部分Ｓ７〜Ｓ１０のみにより構成されている。
【００１１】
このため、前記手の指Ｆからの外力ｆ１、ｆ２が重ね合わせ部Ｋに働らくことにより、重ね合わせ部Ｋが左右方向に伸びようとしても、糸Ｓが直線状であるために、該重ね合わせ部Ｋは現在以上に伸びにくくなっている。
【００１２】
この結果、既述したように、手に嵌めた場合に馴染みやすく嵌め心地を良くしたいという要望が生ずる。
【００１３】
本発明の目的は、縫製手袋を手に嵌めた場合に、手の指に適合するように湾曲させることにより、縫製手袋を手に馴染み易くし、嵌め心地を良くすることにある。
【課題を解決するための手段】
【００１４】
上記課題を解決するために、本発明は、請求項１に記載されているように、第１部材１０４Ａと第２部材１０４Ｂを重ね合わせた重ね合わせ部Ｋを有し、該重ね合わせ部Ｋを含む領域をジグザグ状に縫い合わせたことを特徴とする縫製手袋と、請求項３に記載されているように、（１）第１部材１０４Ａと第２部材１０４Ｂを重ね合わせた後、（２）重ね合わせ部Ｋを含む領域をジグザグ状に縫い合わせることを特徴とする縫製手袋の生産方法という手段が提供される。
【００１５】
上記本発明の構成によれば、例えば第１部材１０４Ａを（図１）外側の指平材部分１０４Ａ（例えば人差し指の第１指平材部分１０４Ａ）により、第２部材１０４Ｂを内側の指平材部分１０４Ｂ（例えば人差し指の第２指平材部分１０４Ｂ）によりそれぞれ構成し、例えば外側の指平材部分１０４Ａ（図２（Ａ））の上に内側の指平材部分１０４Ｂを重ね合わせることにより重ね合わせ部Ｋを構成すると共に、この重ね合わせ部Ｋのみを（図４（Ａ））ジグザグ状に縫い合わせたことにより、図７に示すように、縫い合わせた糸Ｓの傾斜部分Ｓ１、Ｓ２、Ｓ３とＳ４、Ｓ５、Ｓ６により伸縮運動機構が構成されているので、このような縫製手袋を手に嵌めた場合に、従来どおり一般には布や皮であって、可撓性に富んでおり、撓み易い前記指平材部分１０４Ａ、１０４Ｂから成る重ね合わせ部Ｋに、前記伸縮運動機構を構成する糸Ｓ全体の両端の縫い目を作用点a、ｂとして、左右方向（Ｘ軸方向）の外力ｆ１、ｆ２が、手の指Ｆから働くものとすると、糸Ｓの真ん中の縫い目Ｎを中心ｃとして、傾斜部分Ｓ１、Ｓ２、Ｓ３が右側に、傾斜部分Ｓ４、Ｓ５、Ｓ６が左側にそれぞれ変位し、それに伴って、撓み易い重ね合わせ部Ｋの右側部分ｍ１、左側部分ｍ２も左右方向（Ｘ軸方向）に変位可能となる。
【００１６】
また、請求項１に記載の発明は、第１部材と第２部材を重ね合わせた重ね合わせ部を有し、該重ね合わせ部を含む領域をジグザグ状に縫い合わせてあり、上記第１部材が外側の指平材部分であって手指の平面と左右の各側面を被覆し得る幅を有する指平材部分により、上記第２部材が内側の指平材部分であって手指の平面と左右の各側面を被覆し得る幅を有する指平材部分によりそれぞれ構成され、上記重ね合わせ部が、上記外側の指平材部分の略凹弧状端縁の先端部の上に上記内側の指平材部分の略凹弧状端縁の先端部を重ね合わせることにより構成され、又は上記内側の指平材部分の略凹弧状端縁の先端部の上に上記外側の指平材部分の略凹弧状端縁の先端部を重ね合わせることにより構成されており、上記ジグザグ状の縫い合わせは、上記各略凹弧状端縁に沿ってなされており、上記ジグザグ状の縫い合わせをしている糸の各傾斜部分により伸縮機構が構成されており、前記指平材部分と指甲材より成る指袋全体を手の指に嵌めた場合に、指関節位置に対応した位置で前記指袋全体が手平側に屈曲ならしめるように構成されている縫製手袋である。
【００１７】
また、請求項２に記載の発明は、第１部材と第２部材を重ね合わせた後、（２）重ね合わせ部を含む領域をジグザグ状に縫い合わせる縫製手袋の生産方法であって、上記（１）において、上記第１部材が外側の指平材部分であって手指の平面と左右の各側面を被覆し得る幅を有する指平材部分により、上記第２部材が内側の指平材部分であって手指の平面と左右の各側面を被覆し得る幅を有する指平材部分によりそれぞれ構成されている場合に、上記外側の指平材部分の略凹弧状端縁の先端部の上に上記内側の指平材部分の略凹弧状端縁の先端部を重ね合わせ、又は上記内側の指平材部分の略凹弧状端縁の先端部の上に上記外側の指平材部分の略凹弧状端縁の先端部を重ね合わせた後、
上記（２）において、上記重ね合わせ部のみを、上記外側の指平材部分と重ね合わせ部を、上記重ね合わせ部と上記内側の指平材部分を、又は上記外側の指平材部分と重ね合わせ部と上記内側の指平材部分を、上記各略凹弧状端縁に沿ってジグザグ状に縫い合わせ、上記ジグザグ状の縫い合わせをしている糸の各傾斜部分により伸縮機構を構成し、前記指平材部分と指甲材より成る指袋全体を手の指に嵌めた場合に、指関節位置に対応した位置で前記指袋全体が手平側に屈曲ならしめるようにする縫製手袋の生産方法である。
【発明の効果】
【００１８】
上記のとおり、本発明によれば、縫製手袋を手に嵌めた場合に、重ね合わせ部Ｋ全体が変位可能となり、このため、縫製手袋を手の指に適合するように湾曲させることにより、縫製手袋を手に馴染み易くし、嵌め心地を良くするという効果を奏する。
【発明を実施するための最良の形態】
【００１９】
以下、本発明を、実施の形態により添付図面を参照して説明する。図１は、本発明による縫製手袋を示す斜視図である。
【００２０】
図１において、本発明に係る縫製手袋は、全体として手平材１０１と手甲材１０２と親指袋材１０３により構成され、例えばスキーのストックやオートバイのハンドルやゴルフクラブや野球のバット等を握る場合に用いられる。
【００２１】
上記手平材１０１と手甲材１０２とは、いずれも例えば人差し指、中指、薬指、小指に対応した指平材１０４と指甲材１０５を有し、指平材１０４と指甲材１０５とは、図示するように、指甲材１０５側の左右位置で縫い合わされている（前記実用新案登録第３１２２５３０号公報の図２、図５（Ｃ）、図７（Ｃ）に相当）。
【００２２】
また、本願の図１に示すように、上記指平材１０４は、複数個の指平材部分、例えば第１指平材部分１０４Ａと第２指平材部分１０４Ｂと第３指平材部分１０４Ｃにより構成されている。
【００２３】
そして、上記各指平材部分１０４Ａ、１０４Ｂ、１０４ＣをＵ字型に湾曲させた状態で（前記実用新案登録第３１２２５３０号公報の図７（Ｃ）に相当）、対向する凹弧状端縁どおしを縫い合わせてある（同公報の図８に相当）。この構成により、本願の例えば図２（Ａ）に示すように、指平材１０４と指甲材１０５から成る指袋全体を、手の指Ｆに嵌めた場合に、指関節部Ｆａに対応した位置で指袋全体を手平側に屈曲可能ならしめている。
【００２４】
この状態を手平側から見ると、本願の図４に示すように、例えば外側の指平材部分１０４Ａの上に内側の指平材部分１０４Ｂが重ね合わされることにより、重ね合わせ部Ｋが構成され、この重ね合わせ部Ｋを含む領域が、糸Ｓによりジグザグ状に縫い合わされている。
【００２５】
例えば、図４（Ａ）は、手平側に存在する重ね合わせ部Ｋのみを、図４（Ｂ）は、外側の指平材部分１０４Ａと重ね合わせ部Ｋを、図４（Ｃ）は、重ね合わせ部Ｋと内側の指平材部分１０４Ｂを、図４（Ｄ）は、外側の指平材部分１０４Ａと重ね合わせ部Ｋと内側の指平材部分１０４Ｂを、それぞれ糸Ｓによりジグザグ状に縫い合わせた場合を示す。
【００２６】
また、縫い目の数は、図３に示すように、一定ではなく、本発明の縫製手袋がどの用途に用いられるか等を考慮して決定される。
【００２７】
図３（Ａ）は、糸Ｓを縫い合わせることにより構成された平行運動機構の例えば平行部分Ｓ１の縫い目が２つの場合、図３（Ｂ）は、同様の場合に縫い目が３つの場合、図３（Ｃ）は、同様の場合に縫い目が４つの場合をそれぞれ示す。
【００２８】
そして、糸Ｓの本数は、例えば図３（Ｄ）に示すように、1本の糸Ｓだけでなく、２本の糸Ｓを用い、これにより、糸Ｓで縫い合わせられる重ね合わせ部Ｋを含む領域を補強するのが、好ましい。
【００２９】
図５は、図２（Ｂ）の状態を手平側から見た図であり、例えば内側の指平材部分１０４Ｂの上に外側の指平材部分１０４Ａが重ね合わされることにより、重ね合わせ部Ｋが構成され、この重ね合わせ部Ｋを含む領域が、糸Ｓによりジグザグ状に縫い合わせられている。
【００３０】
同様に、例えば、図５（Ａ）は、重ね合わせ部Ｋのみを、図５（Ｂ）は、外側の指平材部分１０４Ａと重ね合わせ部Ｋを、図５（C）は、重ね合わせ部Ｋと内側の指平材部分１０４Ｂを、図５（Ｄ）は、外側の指平材部分１０４Ａと重ね合わせ部Ｋと内側の指平材部分１０４Ｂを、それぞれ糸Ｓによりジグザグ状に縫い合わせた場合を示す。
【００３１】
そして、図５の場合も、縫い目の数は、同様に一定ではなく（図３）、本発明の縫製手袋がどの用途に用いられるか等を考慮して決定され（図３（Ａ）〜図３（Ｃ））、縫い合わせる糸Ｓの本数も例えば２本であって（図３（Ｄ））、糸Ｓで縫い合わせる重ね合わせ部Ｋを含む領域を補強することが好ましい。
【００３２】
図６は、本発明による縫い合わせの更なる他の例を示す図である。
【００３３】
図４、図５に示されるジグザグ状の縫い合わせ方式が波型であるとすれば、図６（Ａ）は、台形型、図６（Ｂ）は、矩形型である。
【００３４】
従来の縫い合わせ方式が（図８、図９）、水平方向（Ｘ軸方向）の直線部分のみの直線型とすれば、図６（Ａ）の台形型は、水平方向の直線部分Ｓ１１〜Ｓ１３と、この直線部分に対して傾斜している傾斜部分Ｓ１４〜Ｓ１７との混在型伸縮運動機構を構成し、図６（Ｂ）の矩形型は、水平方向の直線部分Ｓ１８〜Ｓ２２と、この直線部分に対して垂直な（Ｚ軸方向）直線部分Ｓ２３〜Ｓ２８との混在型伸縮運動機構を構成している。
【００３５】
従って、従来技術（図８、図９）が水平方向（Ｘ軸方向）の直線部分Ｓ７〜Ｓ１０だけであるのに比べて、図６の場合には、余分に、前記した傾斜部分S１４〜Ｓ１７や（図６（Ａ））、垂直な（Ｚ軸方向）直線部分Ｓ２３〜Ｓ２８（図６（Ｂ））を有するため、手に嵌めた場合には、手の指Ｆからの外力ｆ１、ｆ２に対して左右方向（Ｘ軸方向）に変位し易い。
【００３６】
以下、上記構成を有する本発明の作用を説明する。
【００３７】
例えば、外側の指平材部分１０４Ａ（図２（Ａ））の上に内側の指平材部分１０４Ｂを重ね合わせることにより重ね合わせ部Ｋを構成し、図４（Ａ）に示すように、この重ね合わせ部Ｋのみをジグザグ状に縫い合わせたとする。
【００３８】
これにより、図７に示すように、縫い合わせた糸Ｓの傾斜部分Ｓ１、Ｓ２、Ｓ３とＳ４、Ｓ５、Ｓ６により伸縮運動機構が構成され、しかも、前記指平材部分１０４Ａ、１０４Ｂは、従来どおり一般には布や皮であって、可撓性に富んでおり、そのため、重ね合わせ部Ｋ全体は撓み易い。
【００３９】
そして、このような本発明に係る縫製手袋を手に嵌めた場合に、前記伸縮運動機構を構成する糸Ｓ全体の両端の縫い目を作用点ａ、ｂとして、左右方向（Ｘ軸方向）の外力ｆ１、ｆ２が、手の指Ｆから働くものとする。
【００４０】
そうすると、糸Ｓの真ん中の縫い目Ｎを中心ｃとして、前記伸縮運動機構の傾斜部分Ｓ１、Ｓ２、Ｓ３が右側に、傾斜部分Ｓ４、Ｓ５、Ｓ６が左側にそれぞれ変位する。
【００４１】
このため、前記伸縮運動機構の傾斜部分Ｓ１、Ｓ２、Ｓ３とＳ４、Ｓ５、Ｓ６の動きに応じて、撓み易い重ね合わせ部Ｋの右側部分ｍ１、左側部分ｍ２部分も左右方向（Ｘ軸方向）に変位可能となる。
【００４２】
従って、本発明によれば、縫製手袋を手に嵌めた場合に、手の指に適合するように伸ばしまた湾曲させることにより、縫製手袋を手に馴染み易くし、嵌め心地を良くするという効果を奏する。
【００４３】
ここで、図１０〜図１７を参照して、実用新案登録第３１２２５３０号公報に開示されているものにおいて、手平材同士のつなぎ目を前述したようにジグザクに縫ったものについてより詳しく説明する。図１０〜図１４には第１実施例の縫製手袋が示され、図１５〜図１７には第２実施例の縫製手袋が示されている。
【００４４】
図１０〜図１４の第１実施例
第１実施例の縫製手袋は、図１０に示すように、手平材２０１と手甲材２０２と親指袋材２０３とを基本部材として縫製されている。即ち、この第１実施例の縫製手袋は、図１３に示す手平材２０１と手甲材２０２と別材からなる親指袋材２０３とで図１０に示すように縫製されている。
【００４５】
これらの生地（手平材２０１、手甲材２０２、親指袋材２０３）には、主として皮革又は合成皮革が使用されている。尚、本願で使用される縫製手袋は、主としてスキー用やオートバイ用等の比較的厚手で、且つ使用時にグリップを握持するものに適用されるが、ゴルフ用やバッティング用等の比較的薄手のものにも使用可能である。
【００４６】
図１３には、手平材２０１と手甲材２０２における裁断状態の平面図を示している。手平材２０１は、いわゆるガンカットタイプに裁断されたもので、掌部２１１に人差し指用と小指用の２つの指平材２１２，２１２を一体裁断しているとともに、中指用と薬指用の２つの指平材２１２，２１２を別裁断している。又、手甲材２０２は、掌部２２１に小指から人差し指までの４本の指甲材２２２，２２２・・を一体裁断している。
【００４７】
４つの指平材２１２，２１２・・は、それぞれ手指の平面（ひらめん）と左右各側面を被覆し得る幅を有している。即ち、各指平材２１２は、平面被覆部２１３の左右にそれぞれ側面被覆部２１４，２１４を有する幅で裁断されている。
【００４８】
４つの指平材２１２，２１２・・には、図１３及び図１４（Ａ）に示すように、各手指の２つの関節部（第１関節部と第２関節部）が対応する位置にそれぞれ指平材２１２の左右両側縁の各一部（０.５〜１ｍｍ程度）を残して略楕円穴２１５，２１５が２箇所ずつ打抜き形成されている。この各略楕円穴２１５，２１５には、それぞれ凹弧状端縁２１５ａ，２１５ｂが対向配置された位置に形成されている。尚、この各略楕円穴２１５は、指平材２１２の左右両側縁の各一部を残した状態で形成されているので、各指平材２１２，２１２・・は１枚ものとして連続している。すなわち、各略楕円穴２１５は、指平材２１２の平面被覆部２１３のみならず、平面被覆部２１３の左右に存在している各側面被覆部２１４，２１４にまでおよんで（いたって）設けられている。
【００４９】
この各略楕円穴２１５，２１５は、後述するように指関節部Ｆａ２（図１２）が対応する位置において指袋を手平側に屈曲させるためのものであるが、この第１実施例では、図１３に示すように４つの各指平材２１２，２１２・・にそれぞれ略楕円穴２１５を２箇所ずつ形成している。尚、例えばオートバイ用に使用する手袋では、小指と薬指の２本の指袋のみを手平側に屈曲させたものがあり、その場合には略楕円穴２１５を小指袋と薬指袋の各指平材のみに形成してもよい。又、親指袋２０３（図１０）も内側に屈曲させる場合には、該親指袋の指平材にも親指の関節部が対応する位置に略楕円穴を形成する。
【００５０】
指平材２１２の各略楕円穴２１５，２１５には、それぞれ凹弧状端縁２１５ａ，２１５ｂが対向配置されている。そして、指平材２１２は、略楕円穴２１５の各凹弧状端縁２１５ａ，２１５ｂ同士を該各凹弧状端縁に沿って相互に縫合することにより、図１４（Ｂ）に示すように指平側に向けて屈曲させることができる。尚、各凹弧状端縁２１５ａ，２１５ｂの凹弧部の深さは、指袋の関節部対応位置をどの程度屈曲させるかによって決められ、該凹弧部の深さを深くするほど指袋関節部を大きく屈曲させることができる。
【００５１】
この第１実施例の縫製手袋は、図１３に示す手平材２０１と手甲材２０２と図１の親指袋材２０３とで縫製されるが、その場合、小指から人差し指の各指袋２０４は図１４の（Ａ）〜（Ｃ）のようにして縫製される。
【００５２】
即ち、図１４（Ａ）は指平材２１２を展張させた状態を示しているが、この指平材２１２には手指の平面被覆部２１３とその左右に各側面被覆部２１４，２１４とが一体に裁断されている。この展張状態から図１４（Ｂ）に示すように、指平材２１２を幅方向にＵ型に湾曲させるとともに、各略楕円穴２１５，２１５の対向する各凹弧状端縁２１５ａ，２１５ｂ同士を該各凹弧状端縁に沿って相互に、前述したようにジグザク状に縫合する。
【００５３】
このように略楕円穴２１５の各凹弧状端縁２１５ａ，２１５ｂ同士を縫合すると、略楕円穴２１５部分が引き寄せられることにより、各凹弧状端縁２１５ａ，２１５ｂの縫合部Ｍ２，Ｍ２で指平材２１２が指平側に屈曲するようになる。
【００５４】
そして、図１４（Ｂ）の状態から図１４（Ｃ）に示すように、指平材２１２の左右各端縁と指甲材２２２の左右各端縁とを縫合する（縫合部Ｎ２，Ｎ２）ことにより、指袋２０４の形状に縫製できる。尚、各部の縫合部Ｍ２，Ｎ２は、各生地のたとえば裏側から縫合する（おもて側がら縫合してもよい。）。又、手平材２０１と手甲材２０２のその他の部分及び親指袋材２０３は、それぞれ従来から行われている常法により縫合して、図１０の手袋に縫製する。又、図１０の第１実施例では、親指袋２０３の指関節部対応位置にも指平側に屈曲させるための上記と同様の加工（略楕円穴の各凹弧状端縁の縫合部Ｍ２）を施している。
【００５５】
この第１実施例の縫製手袋では、実用新案登録第３１２２５３０号公報で示した従来技術のように指の側部に相当する部位を覆うためにマチ材を使用することなく、指平材２１２と指甲材２２２とが指甲側の左右位置で縫合されているだけで、図１１に示すように指平側には指平材２１２と指甲材２２２との縫合部は存在しない。従って、この手袋を装着してグリップを握持したときに、手指とグリップの間に指平材２１２と指甲材２２２との縫合部が介在しないので、違和感がなく装着感覚が良好となる。又、各指袋２０４の指平側に縫合部が存在しない状態で指袋２０４を手平側に屈曲させることができるので、この縫製手袋を装着してグリップを握持する際に、縫合部による違和感がない状態で且つ小さい曲げ力で握持できる。
【００５６】
又、指平材２１２の凹弧状端縁２１５ａ，２１５ｂ同士を縫合するのに、各側の凹弧状端縁２１５ａ，２１５ｂを上下に重合させた状態で行えるので、図１２に示すように各凹弧状端縁２１５ａ，２１５ｂ同士の縫合部Ｍ２が平面的になり（指袋内に突出する部分がなくなり）、手袋装着時において指袋屈曲のための各縫合部Ｍ２，Ｍ２に違和感を感じなくなる。
【００５７】
さらに、指の部分が予め内側に曲がっているので、直線縫いだと、指の腹側のつなぎ目（指平材１２同士を縫い合わせたところ）に段差が出やすくなるが、ジグザグ状に縫ってあるので段差が出にくくなっている。
【００５８】
図１５〜図１７の第２実施例
この第２実施例の縫製手袋は、指平材２１２部分の変形例を示している。尚、第２実施例の縫製手袋の全体形状は、図１０のものと同じである。
【００５９】
この第２実施例の縫製手袋では、図１５及び図１６（Ａ）に示すように４つの指平材２１２，２１２・・をそれぞれ指関節部が対応する位置で複数（３つ）の分割指平材２１７，２１７，２１７に分割している。又、各分割指平材２１７，２１７，２１７は、その分割部端縁をそれぞれ凹弧状端縁（２１７ａ又は２１７ｂ）としている。尚、この第２実施例の各指平材２１２，２１２・・の分割指平材２１７，２１７，２１７は、上記第１実施例の指平材における略楕円穴部分で分離させたものであり、その他の構成は第１実施例のものと同じである。
【００６０】
この第２実施例の縫製手袋は、指袋４部分を図１６の（Ａ）〜（Ｃ）に示すようにして縫製する。
【００６１】
まず、図１６（Ａ）に示す展開状態の３つの分割指平材２１７，２１７，２１７を、図１６（Ｂ）に示すようにそれぞれ幅方向にＵ型に湾曲させるとともに、各分割指平材２１７，２１７の対向する各凹弧状端縁２１７ａ，２１７ｂ同士を該各凹弧状端縁に沿って相互に縫合する。その際、この第２実施例のものでは、各凹弧状端縁２１７ａ，２１７ｂを上下に重ね合わせた状態でその先端部同士を縫合する（図１７の縫合部Ｍ２を参照）。ない、図１７でははっきり表れていないが、縫合はたとえば前述したように（たとえば図１参照）に示すようにジグザグ状になされている。このように各側の分割指平材２１７，２１７の凹弧状端縁２１７ａ，２１７ｂ同士を縫合すると、該縫合部Ｍ２で指平材２１２が指平側に屈曲した状態で連続する。
【００６２】
そして、図１６（Ｂ）の状態から図１６（Ｃ）に示すように、指平材２１２の左右各端縁と指甲材２２２の左右各端縁とを縫合する（縫合部Ｎ２，Ｎ２）ことにより、指袋２０４の形状に縫製できる。尚、その他の部分の縫合は、上記第１実施例のものと同じである。
【００６３】
この第２実施例の縫製手袋の場合も、上記第１実施例のものと同様に、指袋２０４の指平部分に指平材２１２と指甲材２２２の縫合線は存在せず、且つ各指袋２０４を予め手平側に屈曲させた状態で縫製できるので、手袋装着感覚が良好になるとともに曲げ力が少なくて済む。
【００６４】
又、この第２実施例の場合は、複数（３つ）の分割指平材２１７，２１７，２１７の凹弧状端縁２１７ａ，２１７ｂ同士を縫合するのに、各側の凹弧状端縁２１７ａ，２１７ｂを上下に重合させた状態で行えるので、図１７に示すように各凹弧状端縁２１７ａ，２１７ｂ同士の縫合部Ｍ２が平面的になり（指袋内に突出する部分がなくなる）、手袋装着時において指袋屈曲のための各縫合部Ｍ２，Ｍ２に違和感を感じなくなる。
【００６５】
さらに、指の部分が予め内側に曲がっているので、直線縫いだと、指の腹側のつなぎ目（指平材１２同士を縫い合わせたところ）に段差が出やすくなるが、ジグザグ状に縫ってあるので段差が出にくくなっている。
【００６６】
ところで、第３の実施例では、上述した第２の実施例において、総ての指平材（各分割指平材２１７を備えて構成されている指平材）３１２を、掌部（図１５の掌部２１１に対応する掌部）３１１から分離して設けてあってもよい（図１８参照）。なお、図１８に示す指平材３１２Ａは人指し指用の指平材であり、指平材３１２Ｂは中指用の指平材であり、指平材３１２Ｃは薬指用の指平材であり、指平材３１２Ｄは子指用の指平材である。
【００６７】
また、同様にして、図１３に示す上述した第１の実施例において、総ての指平材２１２を、掌部２１１から分離して設けてあってもよい。
【産業上の利用可能性】
【００６８】
本発明は、スキーのストック、オートバイのハンドル、ゴルフクラブ、野球のバット等を把持し易いように予め指袋部分を手平側に屈曲させた縫製手袋及びその生産方法に利用され、特に、縫製手袋を手に嵌めた場合に、手の指に適合するように伸ばすことにより、縫製手袋を手に馴染み易くし、嵌め心地を良くする場合に、極めて有用である。
【図面の簡単な説明】
【００６９】
【図１】本発明による縫製手袋を示す斜視図である。
【図２】図１の断面図である。
【図３】本発明による縫い目を示す図である。
【図４】本発明による縫い合わせの例を示す図である。
【図５】本発明による縫い合わせの他の例を示す図である。
【図６】本発明による縫い合わせの更なる他の例を示す図である。
【図７】本発明の作用説明図である。
【図８】従来技術の構成説明図である。
【図９】従来技術の作用説明図である。
【図１０】第１実施例の縫製手袋の親指袋側から見た側面図である。
【図１１】図１０のＸＩ−ＸＩ拡大断面図である。
【図１２】図１０の縫製手袋の指袋部分の長手方向断面図である。
【図１３】図１０の縫製手袋に使用される手平材と手甲材の展開図である。
【図１４】図１０の縫製手袋の指袋部分の縫製方法説明図である。
【図１５】第２実施例の縫製手袋に使用される手平材と手甲材の展開図である。
【図１６】第２実施例（図１５）の縫製手袋の指袋部分の縫製方法説明図である。
【図１７】第２実施例の縫製手袋の指袋部分の長手方向断面図である。
【図１８】第３実施例の縫製手袋に使用される手平材と手甲材の展開図である。
【符号の説明】
【００７０】
１０１  手平材
１０２  手甲材
１０３  親指袋材
１０４  指平材
１０４Ａ  第１指平材部分
１０４Ｂ  第２指平材部分
１０４Ｃ  第３指平材部分
１０５  指甲材
【図１】
0005214218.tif 000002
【図２】
0005214218.tif 000003
【図３】
0005214218.tif 000004
【図４】
0005214218.tif 000005
【図５】
0005214218.tif 000006
【図６】
0005214218.tif 000007
【図７】
0005214218.tif 000008
【図８】
0005214218.tif 000009
【図９】
0005214218.tif 000010
【図１０】
0005214218.tif 000011
【図１１】
0005214218.tif 000012
【図１２】
0005214218.tif 000013
【図１３】
0005214218.tif 000014
【図１４】
0005214218.tif 000015
【図１５】
0005214218.tif 000016
【図１６】
0005214218.tif 000017
【図１７】
0005214218.tif 000018
【図１８】
0005214218.tif 000019